(57)【特許請求の範囲】
【請求項１】
波浪に対し安定する重量を確保する中詰砂を内部に詰め込まれるケーソンにおいて、前記中詰砂を取り除いて前記ケーソンを移動するために取外しと取付けを可能にした蓋体を、前記ケーソンの上部コンクリートに設けたことを特徴とするケーソン。
【請求項２】
前記上部コンクリートの周辺には、前記中詰砂を取り除くか再度詰め込む際に生じるケーソン内部の中詰砂の片寄りを是正するために外部から水ジェットを吹き付ける貫通孔を備えたことを特徴とする請求項１に記載のケーソン。
【請求項３】
波浪に対して安定する重量を確保する中詰砂を内部に詰め込むと共にブロックを収容するようにしたケーソンであって、前記ブロックを取り除いて前記ケーソンを移動するために取外しと取付けを可能にした蓋体を、前記ケーソンの上部工に設けたことを特徴とするケーソン。
【請求項４】
請求項１に記載したケーソンを用い、該ケーソンには波浪に対し安定する重量を確保する中詰砂を内部に詰め込み、一旦据え付けた後に前記中詰砂を取り除いてからケーソンを移動する方法であって、
前記蓋体を取り外す工程と、前記中詰砂を水ジェットで吹き付けて中詰砂の片寄りを是正しながら取り除いて、前記ケーソンを移動できる程度に軽くする工程と、その後クレーン船に前記ケーソンを浮上させた後に移動させてから据え付ける工程とからなるケーソンの移動方法。
【請求項５】
請求項３に記載したケーソンを用い、該ケーソンには波浪に対し安定する重量を確保する中詰砂を内部に詰め込むと共にブロックを収容して一旦据え付けた後に、前記ブロックを取り除いてからケーソンを移動する方法であって、
前記蓋体を取り外す工程と、前記ブロックを取り除いて前記ケーソンを移動できる程度に軽くする工程と、その後クレーン船により前記ケーソンを浮上させた後に移動させてから据え付ける工程とからなるケーソンの移動方法。
【発明の詳細な説明】
【０００１】
【発明が属する技術分野】
本発明はケーソン及びケーソンの移動方法に関し、更に詳細には、波浪に対して安定するための重量の一部が中詰砂によって付与される、防波堤や護岸として用いるケーソンと、かようなケーソンを一旦据え付けた後に移動させる方法に関する。
【０００２】
【従来の技術】
一般的な防波堤用ケーソンは、上方のみを開放させた函状のケーソン躯体を陸上で作製し、これを現地まで運搬した後、現地で躯体内に中詰砂を投入し、次いで、上部コンクリートを打設することによって、波浪に対し安定する重量が付与されて据え付けられる。
【０００３】
また、従来は一旦据え付けた防波堤用ケーソンを移動させるような必要性はなかったものの、最近の例えば大規模な洋上石油備蓄基地の開発計画等において、備蓄船の泊地に対する入出に伴い、泊地を包囲させる防波堤をクレーン船等によって移動させたり、その後、再び据え付けるようなケーソンの使用形態が望まれるようになった。
【０００４】
【解決しようとする課題】
しかしながら、従来の防波堤用ケーソンを一旦据付け後にクレーン船等で移動させるとなると、中詰砂を取り除いて重量を軽くしなければならないが、この場合、上部コンクリートを取り壊したり、再度の据付け時に再び上部コンクリートを打設しなければならず、作業が甚だ面倒となる。
【０００５】
本発明は以上の点に鑑みてなされたものであり、その目的は、一旦据え付けた後の移動及び再度の据付けを容易に行うことができるケーソンと、このケーソンの移動方法を提供することにある。
【０００６】
【課題を解決するための手段】
本発明に係るケーソンは、波浪に対し安定する重量を確保する中詰砂を内部に詰め込まれるケーソンにおいて、前記中詰砂を取り除いて前記ケーソンを移動するために取外しと取付けを可能にした蓋体を、前記ケーソンの上部コンクリートに設けたことを特徴とする。
【０００７】
即ち、本ケーソン（第１のケーソン）では、一旦据え付けた後に移動させる場合、蓋体を取り外して中詰砂を取り除き、重量を軽減することによって、起重機船等による移動を容易なものとすることができ、また、再度の据付けも中詰砂を再充填した後、蓋体を取り付けることによって簡易に行うことができる。
【０００８】
なお、蓋体としては、ケーソンが比較的小型である場合、上部コンクリートに対応する部分全体を取外し可能の蓋体とすることも考えられるが、一般に防波堤用ケーソンは大型であるため、上部コンクリートを分割してそれぞれを蓋体としたり、上部コンクリートに適当数の開口を設け、各開口に蓋体を設けるようにすることもできる。なお、上部工上に車両等を通過させる場合は、強度上、必要最低限の開口を設け、この開口に蓋体を設置するようにすることが望ましい。また、通常のケーソン内部は隔壁によって複数の室に区画され、各室に中詰砂が充填されるため、各室それぞれから中詰砂を取り除くことができるように開口等を設定することが望ましい。
【０００９】
蓋体の設置としては、間詰コンクリートを用いたり、ボルトで締結する態様を具体例として挙げることができる。また強度的に問題なければ、上部工本体と蓋体とは連結せず、開口部の周囲に溝などを作成して蓋体をはめ込むだけでもよい。
【００１０】
こうすれば蓋体の撤去、据付がさらに容易となる。
【００１１】
繰返しの使用を前提とする蓋体の材質としては、例えば鉄筋コンクリート（ＰＣ）等を好ましく挙げることができる。
【００１２】
また、本ケーソンでは、前記上部コンクリートの周辺には、前記中詰砂を取り除くか再度詰め込む際に生じるケーソン内部の中詰砂の片寄りを是正するために外部から水ジェットを吹き付ける貫通孔を備えていてもよい。
【００１３】
これは、ケーソン内の上記各室の一辺は約５ｍと大きく、移動のために中詰砂を取り除くかあるいは再据付け時に中詰砂を再充填する際、蓋体が取り除かれた後の開口の位置や大きさによっては、一の室内で中詰砂の高さに不均衡が生じる場合がある。例えば、一の室内において開口付近では中詰砂の排出（もしくは充填）が進む一方、開口から遠い部分では排出（もしくは充填）が滞る等であり、このような片寄りを上記孔を介して水を噴出することによって是正することができる。かような孔は上部工に設けることができる。
【００１４】
なお、上記孔を介する水の噴射は、例えばサンドポンプによる中詰砂の排出を湿式とする役割を担持させることができる。
【００１５】
本発明に係る別のケーソンは、波浪に対して安定する重量を確保する中詰砂を内部に詰め込むと共にブロックを収容するようにしたケーソンであって、前記ブロックを取り除いて前記ケーソンを移動するために取外しと取付けを可能にした蓋体を、前記ケーソンの上部工に設けたことを特徴とする。
【００１６】
即ち、本ケーソンは、中詰砂によって確保する重量の一部を一又は複数のブロックに置き換え、このブロックを取り除くことによって所要の重量低減を図るものである。なお、ブロックは中詰砂に比べ、出し入れが容易であるため、本ケーソンの移動及び再設置は第１のケーソンと比較しても一層容易となる。
【００１７】
従って、本ケーソンに用いる一又は複数のブロックの総重量は、これを全て排除した際、中詰砂を含むケーソン重量がクレーン船等による移動が容易となる程度となるように設定されるが、複数のブロックの内の一部を取り除くことによって所要の重量減が達成される場合もある。
【００１８】
なお、ケーソン内を複数の室に仕切る隔壁の高さは、中詰砂の低減された充填量に応じて低くし、その上方空間にブロックを収容させることが望ましい。
【００１９】
ブロックの材質としては例えば普通コンクリートや重量コンクリート等を好ましく挙げることができる。
【００２０】
本ケーソンにおける蓋体は、ブロックを取り除ける限り、第１のケーソンの蓋体と同様である。
そして、本発明に係るケーソンの移動方法は、波浪に対し安定する重量を確保する中詰砂を内部に詰め込み、一旦据え付けた後に前記中詰砂を取り除いてからケーソンを移動する方法であって、前記蓋体を取り外す工程と、前記中詰砂を水ジェットで吹き付けて中詰砂の片寄りを是正しながら取り除いて、前記ケーソンを移動できる程度に軽くする工程と、その後クレーン船に前記ケーソンを浮上させた後に移動させてから据え付ける工程とからなる。
また、本発明に係るケーソンの移動方法は、波浪に対し安定する重量を確保する中詰砂を内部に詰め込むと共にブロックを収容し一旦据え付けた後に、前記ブロックを取り除いてからケーソンを移動する方法であって、前記蓋体を取り外す工程と、前記ブロックを取り除いて前記ケーソンを移動できる程度に軽くする工程と、その後クレーン船により前記ケーソンを浮上させた後に移動させてから据え付ける工程とからなるものもある。
【００２１】
【実施例】
以下、本発明の実施例を添付図面に基づいて説明する。
【００２２】
図１は、本発明に係るケーソン１０を防波堤として海底地盤１上に基礎マウンド（捨石）２を介在させて据え付けた状態を概略的に示す断面図であり、図２はケーソン１０の平面図である。
【００２３】
ケーソン１０は、内部が十文字状の隔壁１２によって一例として四つの室１３に区画されたものであり、最初の据付け時においては、各室１３に中詰砂３を充填した後に上部工１４が施工される。なお、上部工１４を除くケーソン躯体は概ね従来のものと概ね同様である。
【００２４】
上部工１４は、上部コンクリート１５と、上部コンクリート１５の中央に設定した開口１６に嵌め込むＰＣ蓋１９と、上部コンクリート１５上面の海外側に波返し工として付設するパラペット１８とからなり、上部コンクリート１５の周辺には貫通孔１７が複数設定される。本例では上部工１４の上面に車両等を通行させるため、上部工１４の強度を高く維持する必要があり、開口１６を各室１３から中詰砂３を取り除き得る必要最低限のものとした。また、開口１６はＰＣ蓋１９が嵌合された状態で、ＰＣ蓋１９との間に若干隙間が生じるように設けられ、この隙間に間詰コンクリート２０を打設することにより、ＰＣ蓋１９は強固に固定される。また必要に応じてこの間詰め部に鉄筋などを挿入することにより、上部工全体の強度を上げることも可能である。なお、ＰＣ蓋１９は隔壁１２によって支承される形となり、また、貫通孔１７をも通常閉塞させて、上部工を往来する際に危険のないようにすることが望ましい。
【００２５】
以上のように一旦据え付けたケーソン１０を移動させるに当たっては、まず、間詰コンクリート２０をチッピングして、ＰＣ蓋１９を取り外す。次に、図３に示すように、開口１６から各室１３に逐次サンドポンプ２１を挿入し、中詰砂３を適当量取り除くことにより、ケーソン１０をクレーン船３０（図４参照）で容易に移動できる程度に軽くする。この際、サンドポンプ２１による中詰砂３の排出を湿式にて行うため海水を導入する必要があるが、これをジェットポンプ（図示せず）を用いて、海水を貫通孔１７を介してケーソン側壁１１付近の中詰砂３に吹き付けるようにする（図３参照）。これは中詰砂３の排出が開口１６直下付近のみで進行し、側壁１１付近の中詰砂３が取り残されて、ケーソン１０移動時にバランスが悪くなる等の不都合が生じるおそれがあるため、側壁１１付近の中詰砂３を中央側へ運んで片寄りを是正するものである。
【００２６】
その後、図４に示すように、上部コンクリート１５等に埋没した吊筋（図示せず）を介してクレーン船３０によってケーソン１０を浮上させた後、曳航等により移動させる。ケーソンの形状、大きさによっては浮力だけでケーソン自体が浮く場合もあるので、その場合は大廻し工法などによりケーソンを引船で引くことにより移動することも可能である。
【００２７】
なお、ケーソン１０を再度据え付ける際は、開口１６から中詰砂３を各室１３へ投入することになるが、この場合、開口１６直下付近のみに中詰砂３が堆積しないように、貫通孔１７を介し適宜水ジェットを噴出することによって、側壁１１付近へも中詰砂が確実に充填されるように調整することができる。なお、ＰＣ蓋１９の再取付けは最初の据付け時と同様である。
【００２８】
次に、図５乃至図７を参照しながら本発明に係る別のケーソン１０’について説明するが、ケーソン１０と共通する事項は同じ参照番号を付することを含み、説明を省略する。
【００２９】
ケーソン１０’は、内部が中詰砂３を充填する下方領域と、複数の重量コンクリート製のブロック４を積み重ねて収容させる上方領域とに区分される。また、下方領域は十文字状の隔壁１２’によって四つの室１３’に仕切られる一方、上方領域にはブロック４の水平方向の滑動を制限するため、鉛直方向に延在する凸部１１”が各側壁１１’の中央に設けられる。従って、上方領域にはブロック４を収容させた状態で、側壁１１間に隙間が生じる。
【００３０】
上部工１４’は、パラペット１８’部分を除きプレキャスト製作されるＰＣ蓋１９’となり、ＰＣ蓋１９’はケーソン躯体側に対し目詰コンクリートによって固定される。また、ＰＣ蓋１９’は最上段のブロック４と各側壁１１’とによって支承される形となり、海外側の側壁１１’上部はＰＣ蓋１９’の支承を確実とするため厚肉とされる。
【００３１】
ケーソン１０’の特徴は、中詰砂３によって確保していた重量の一部を適当数のブロック４に負担させた点にあり、ブロック４の総重量はこれを全て排除することによって、中詰砂３を含むケーソン１０’の重量がクレーン船３０によって容易に移動できる程度となるように設定される。
【００３２】
従って、一旦据え付けたケーソン１０’を移動させるに当たっては、まず、間詰コンクリートをチッピングし、ＰＣ蓋１９’を取り外してケーソン１０’上方を開放させ、次いで、図７に示すように、ブロック４を一つづつ吊り上げて取り除いた後、ケーソン１０’をクレーン船３０で移動させる。従って、サンドポンプやジェットポンプは不要である。なお、ケーソン１０’の再度の据付けは前述と逆の工程となる。
【００３３】
【発明の効果】
以上に述べたように、本発明に係るケーソン（第１のケーソン）では、蓋体を取り外して中詰砂を取り除くことにより、ケーソンの重量を容易に移動できる程度に軽減することができるため、一旦据え付けた後のケーソンを容易に移動させることができ、また、再度の据付けの場合も、中詰砂を再充填した後、同じ蓋体を取り付けることによって簡易に行うことができる。
【００３４】
また、別の本発明に係るケーソンでは、中詰砂の一部と置き換えたブロックを蓋体を取り外して取り除くことにより、第１のケーソンと同様の効果を得られる他、ブロックは、中詰砂を取り扱う場合に比べ、サンドポンプが不要であったり、中詰砂の片寄り等を考慮する必要がない等のため、第１のケーソンと比較して作業が一層容易となる。
【図面の簡単な説明】
【図１】本発明に係るケーソンを防波堤として据え付けた状態を概略的に示す説明断面図である。
【図２】ケーソンの平面図である。
【図３】ケーソンから中詰砂を取り除く状態を示す説明図である。
【図４】ケーソンをクレーン船で浮上させた状態を示す説明図である。
【図５】本発明に係る別のケーソンを据え付けた状態を示す断面図である。
【図６】別のケーソンの平面図である。
【図７】別のケーソンからブロックを取り除く状態を示す説明図である。
【符号の説明】
３  中詰砂
４  ブロック
１０，１０’  ケーソン
１１，１１’  側壁
１２，１２’  隔壁
１３，１３’  室
１４，１４’  上部工
１５  上部コンクリート
１６  開口
１７  貫通孔
１８，１８’  パラペット
１９，１９’  ＰＣ蓋
２０  間詰コンクリート
２１  サンドポンプ
３０  クレーン船
【図１】
0003954675.tif 000002
【図２】
0003954675.tif 000003
【図３】
0003954675.tif 000004
【図４】
0003954675.tif 000005
【図５】
0003954675.tif 000006
【図６】
0003954675.tif 000007
【図７】
0003954675.tif 000008